(57)【要約】      （修正有）【課題】手間をかけることなく、着用時の乳房の外観を美しいものとすることを図ったカップ部付き衣類を提供する。【解決手段】カップ部付き衣類１は、左右の乳房それぞれを覆う左右のカップ部２と、左右のカップ部の各々に連続して設けられて背中側に巻かれるバック部４と、を有し、左右のカップ部のうち一方が、左右の乳房の大きさの違いを補うためのパッド６を有し、パッドが、一方のカップ部の所定位置に着脱不能に固定されている。各カップ部は、乳房のバージスラインに接するように下向き凸に湾曲して設けられた下縁部と、下縁部の脇側の端部から上方に延在する脇縁部と、を有し、パッドの周縁が、カップ部の脇縁部の少なくとも一部及び脇縁部に連続された下縁部の一部に接する位置に設けられている。【選択図】図１
0003213340.tif 000002
【実用新案登録請求の範囲】
【請求項１】
左右の乳房それぞれを覆う左右のカップ部と、該左右のカップ部の各々に連続して設けられて背中側に巻かれるバック部と、を有するカップ部付き衣類であって、
前記左右のカップ部のうち一方が、左右の乳房の大きさの違いを補うためのパッドを有し、
前記パッドが、前記一方の前記カップ部の所定位置に着脱不能に固定されていることを特徴とするカップ部付き衣類。
【請求項２】
前記各カップ部が、前記乳房のバージスラインに接するように下向き凸に湾曲して設けられた下縁部と、該下縁部の脇側の端部から上方に延在する脇縁部と、を有し、
前記パッドの周縁が、前記カップ部の前記脇縁部の少なくとも一部及び前記脇縁部に連続された前記下縁部の一部に接する位置に設けられていることを特徴とする請求項１に記載のカップ部付き衣類。
【請求項３】
前記パッドの周縁が、前記カップ部の前記脇縁部の上端まで延在されていることを特徴とする請求項２に記載のカップ部付き衣類。
【請求項４】
前記パッドが、人体の乳房の形状に対応した略半球状となるように形成されて前記カップ部の内部を埋めることを特徴とする請求項１に記載のカップ部付き衣類。
【考案の詳細な説明】
【技術分野】
【０００１】
本考案は、カップ部付き衣類に関する。
【背景技術】
【０００２】
従来、乳房を支持するブラジャーが開示されている（特許文献１参照）。
【０００３】
特許文献１に記載されたブラジャーは、乳房を覆う一対のカップ部を備えている。各カップ部の乳房に接する内面には、左右の乳房の大きさの違いを補うためのパッドを着脱自在に装着するためのポケットが設けられている。即ち、パッドは、ポケットを介して、カップ部に着脱自在に設けられている。
【先行技術文献】
【特許文献】
【０００４】
【特許文献１】特開２０１６−６９７６８号公報
【考案の概要】
【考案が解決しようとする課題】
【０００５】
ところで、左右の乳房の大きさが違うことに悩んでいる女性は少なくない。現状、市場で販売されているブラジャーを用いて、左右の乳房の大きさの違いを補うには、市販のパッドをカップ部の内面に装着させる必要があり、手間がかかって面倒だった。
【０００６】
本考案は、手間をかけることなく、着用時の乳房の外観を美しいものとすることを図ったカップ部付き衣類を提供することを目的とする。
【課題を解決するための手段】
【０００７】
上記目的を解決するために本考案は以下の構成を備える。
【０００８】
即ち、請求項１に記載の本考案は、左右の乳房それぞれを覆う左右のカップ部、を有するカップ部付き衣類であって、前記左右のカップ部のうち一方が、左右の乳房の大きさの違いを補うためのパッドを有し、前記パッドが、前記一方の前記カップ部の所定位置に着脱不能に固定されていることを特徴とするカップ部付き衣類である。
【０００９】
請求項２に記載の本考案は、請求項１に記載の本考案において、前記各カップ部が、前記乳房のバージスラインに接するように下向き凸に湾曲して設けられた下縁部と、該下縁部の脇側の端部から上方に延在する脇縁部と、を有し、前記パッドの周縁が、前記カップ部の前記脇縁部の少なくとも一部及び前記脇縁部に連続された前記下縁部の一部に接する位置に設けられていることを特徴とする。
【００１０】
請求項３に記載の本考案は、請求項２に記載の本考案において、前記パッドの周縁が、前記カップ部の前記脇縁部の上端まで延在されていることを特徴とする。
【００１１】
請求項４に記載の本考案は、請求項１に記載の本考案において、前記パッドが、人体の乳房の形状に対応した略半球状となるように形成されて前記カップ部の内部を埋めることを特徴とする。
【考案の効果】
【００１２】
請求項１に記載の本考案によれば、カップ部付き衣類であって、左右のカップ部のうち一方が、左右の乳房の大きさの違いを補うためのパッドを有し、パッドが、一方のカップ部の所定位置に着脱不能に固定されている。これによれば、市販のパッドをカップ部に装着させるなど、手間をかけることなく、着用時の乳房の外観を美しいものとすることができる。
【００１３】
請求項２に記載の本考案によれば、各カップ部が、乳房のバージスラインに接するように下向き凸に湾曲して設けられた下縁部と、該下縁部の脇側の端部から上方に延在する脇縁部と、を有し、パッドの周縁が、カップ部の脇縁部の少なくとも一部及び脇縁部に連続された下縁部の一部に接する位置に設けられている。これによれば、パッドが、カップ部の適切な位置に固定されているから、手間をかけることなく左右の乳房の大きさの違いを補うことができる。
【００１４】
請求項３に記載の本考案によれば、パッドの周縁が、カップ部の脇縁部の上端まで延在されている。これによれば、パッドが、カップ部の適切な位置に固定されているから、手間をかけることなく左右の乳房の大きさの違いを補うことができる。
【００１５】
請求項４に記載の本考案によれば、パッドが、人体の乳房の形状に対応した略半球状となるように形成されてカップ部の内部を埋める。即ち、パッドが人体の乳房と略同様の膨らみを有して形成されていることで、例えば乳がん等により着用者の片胸が切除された場合であっても、手間をかけることなく左右の乳房の大きさの違いを補うことができる。
【図面の簡単な説明】
【００１６】
【図１】本考案の一実施の形態にかかるカップ部付き衣類を示す平面図である。
【図２】前記カップ部付き衣類の要部を拡大して示す図である。
【考案を実施するための形態】
【００１７】
以下、本考案の一実施の形態にかかるカップ部付き衣類を、図１、図２を参照して説明する。
【００１８】
図１は、本考案の一実施の形態にかかるカップ部付き衣類としてのブラジャー１を示す平面図である。同図に示すように、ブラジャー１は、左右のカップ部２、２と、カップ部２の下縁部２ａに縫着して設けられて当該カップ部２を支持する土台部３と、土台部３の左右の両端から延びて背中側に巻かれる一対のバック部４、４（バック部）と、カップ部２とバック部４とを連結する肩ストラップ部５と、左右の乳房の大きさの違いを補うためのパッド６と、によって構成されている。ブラジャー１の着用時において、左右のカップ部２、２間は、着用者の「前中心」（符号Ｐ）に位置している。
【００１９】
左右のカップ部２、２は、それぞれ、例えば不織布等の保形性を有する素材によって形成され、人体の乳房の形状に対応した椀形状（半球状）となっている。本実施形態において、左右のカップ部２、２は略同一形状に形成されている。各カップ部２の上縁部２ｂは、例えば、乳房の形状に沿うように上向き凸に湾曲して設けられている。各カップ部２の下縁部２ａは、乳房のバージスラインに接するように下向き凸に湾曲して設けられている。各カップ部２の脇縁部２ｃは、腕の動きを妨げないように凹状に湾曲して設けられている。
【００２０】
また、カップ部２の下縁部２ａには、ワイヤ部（符号２ａが示す位置）が設けられている。ワイヤ部は、金属製やプラスチック製の棒部材である芯材が例えばバイアステープ内に挿入されて構成されている。
【００２１】
また、各カップ部２には、当該カップ部２が乳房から浮かないように（よりフィットするように）するための切替部２０が設けられ、切替部２０より上側部分２１が下側部分２２より厚みが薄くなるように形成されている。カップ部２の下側部分２２に後述するパッド６が固定されているが、カップ部２には、パッド６を覆いつつ人目からパッド６を遮蔽するための遮蔽布（不図示）が設けられている。遮蔽布は、綿や麻、レーヨン等の吸湿性に優れた素材によって形成されている。切替部２０は、カップ部２を構成する上側部分２１と下側部分２２との境界に位置し、これら上側部分２１と下側部分２２（遮蔽布により覆われる部分）を縫着するための縫い目により構成されている。切替部２０は、上端がカップ部２の脇縁部２ｃと上縁部２ｂの境界（符号２Ａが示す位置）にあり、下端２Ｂがカップ部２の下縁部２ａにおいて、前中心Ｐから僅かに離間した位置に向けて、斜め下方に延在して設けられている。切替部２０は、上端に連続する凹状（下向き凸）の湾曲線２０ａと、凹状の湾曲線２０ａと下端２Ｂとに連続される上向き凸の湾曲線２０ｂと、を有して構成されている。
【００２２】
土台部３は、難伸縮性を有する編み物や織物等の素材によって形成されている。土台部３の上縁部には、カップ部２の下縁部２ａが縫着されている。
【００２３】
一対のバック部４、４は、それぞれ、例えばパワーネット等の伸縮性を有する素材によって形成されている。各バック部４は、土台部３の左右の両端に連続され、帯状に延びている。一対のバック部４、４の左右のカップ部２、２から離れた端部には、着用者の背中心近傍で係脱される鉤ホック７Ａ及び受け部（不図示）が取り付けられている。なお、本実施形態では、ブラジャー１が、一対のバック部４、４を有し、着用者の背中心近傍で係脱される鉤ホック７Ａ及び受け部（不図示）が係脱されるバックホックブラジャーを一例として説明しているが、本考案はこれに限定されるものではない。カップ部付き衣類としてのブラジャーは、フロントホックブラジャーであってもよく、その場合には、着用者の前中心近傍で係脱される鉤ホック及び受け部（不図示）が取り付けられていてもよい。
【００２４】
肩ストラップ５は、例えば紐状に形成されてその長手方向に伸縮性を有する素材によって形成されている。肩ストラップ部５は、カップ部２とバック部４とに掛け渡されている。肩ストラップ部５の前端は、カップ部２の脇縁部２ｃと上縁部２ｂの境界（符号２Ａが示す位置）に連結され、肩ストラップ部５の後端５Ａは、バック部４の上縁部４ａに連結されている。
【００２５】
パッド６は、図２に示すように、左右のカップ部２、２のうち一方のみ（本実施形態では、左方のカップ部２に装着されている）の所定位置に縫着されている。即ち、パッド６は、一方のカップ部２の所定位置に着脱不能に固定されている。図２は、ブラジャー１（カップ部付き衣類）の要部を拡大して示す図であり、カップ部２の内面（乳房に接する）側を示す平面図である。図２において遮蔽布は省略されている。なお、本実施形態では、パッド６は、左方のカップ部２に固定されているが本考案はこれに限定されるものではない。パッド６は、右方のカップ部２に固定されていてもよい。即ち、パッド６は、左右のカップ部２、２のうち一方に固定されていればよい。
【００２６】
パッド６は、例えば不織布やポリステル綿等のクッション性を有する素材によって形成されている。即ち、パッド６は適宜な厚みを有して形成されている。パッド６は、４つの周縁６ａ、６ｂ、６ｃ、６ｄを有し、カップ部２の脇縁部２ｃから下縁部２ａに延在する帯状に形成されている。また、パッド６においてカップ部２の下縁部２ａに直交する幅寸法は、カップ部２における下縁部２ａと脇縁部２ｃの境界２Ｃからカップ部２の下縁部２ａに沿って前中心Ｐに近づくにしたがって小さくなるように形成されている。パッド６は、その周縁（後述する第１周縁６ａ、第２周縁６ｂ、第３周縁６ｃ、第４周縁６ｄ）が、カップ部２の所定位置に重ねた状態で縫着されている。
【００２７】
パッド６の第１周縁６ａは、カップ部２の下縁部２ａに対応するように、下向き凸に湾曲して設けられている。第１周縁６ａは、カップ部２の境界２Ｃから、カップ部２の下縁部２ａにおいて最下端２Ｄを含む位置まで延在されている。パッド６の第１周縁６ａは、カップ部２の下縁部２ａに重ねた状態で縫着されている。
【００２８】
パッド６の第２周縁６ｂは、カップ部２の脇縁部２ｃに対応するように、凹状（下向き凸）に湾曲して設けられている。第２周縁６ｂは、カップ部２の脇縁部２ｃの全長に設けられている。前記パッド６の第２周縁６ｂ（周縁）が、カップ部２の脇縁部２ｃの上端（符号２Ａが示す位置）まで延在されている。パッド６の第２周縁６ｂは、カップ部２の脇縁部２ｃに重ねた状態で縫着されている。
【００２９】
パッド６の第３周縁６ｃは、カップ部２の切替部２０の凹状の湾曲線２０ａに対応するように、凹状に湾曲して設けられている。パッド６の第３周縁６ｃの長さは、第２周縁６ｂより僅かに短くなるように形成されている。第３周縁６ｃは、カップ部２の切替部２０の上端（符号２Ａが示す位置）から延在しているとともに、カップ部２の切替部２０の凹状の湾曲線２０ａに重ねた状態で縫着されている。
【００３０】
パッド６の第４周縁６ｄは、第３周縁６ｃの下端６Ａと第１周縁６ａの前中心Ｐ側の端部６Ｂとを連続するように、凹状（下向き凸）に湾曲して設けられている。第４周縁６ｄは、カップ部２に重ねた状態で縫着されている。
【００３１】
このようなブラジャー１（カップ付き衣類）は、左右のカップ部２、２のうち一方が、左右の乳房の大きさの違いを補うためのパッド６を有し、パッド６が、一方のカップ部２の所定位置に着脱不能に固定されている。これによれば、パッド６がカップ部２の所定位置に着脱不能に固定されていることで、市販のパッド６をカップ部２の内面に装着させるなど、手間をかけることなく、着用時の乳房の外観を美しいものとすることができる。
【００３２】
また、パッド６がカップ部２の所定位置に着脱不能に固定されていることで、着用時や着替えの際にパッドがカップ部から落下することがない。よって、着用者の精神的負担を軽減させることができる。
【００３３】
また、各カップ部２が、乳房のバージスラインに接するように下向き凸に湾曲して設けられた下縁部２ａと、該下縁部２ａの脇側の端部（符号２Ｃが示す位置）から上方に延在する脇縁部２ｃと、を有し、パッド６の第１周縁６ａ及び第２周縁６ｂが、脇縁部２ｃの少なくとも一部及び脇縁部２ｃに連続された下縁部２ａの一部に接する位置に設けられている。これによれば、パッド６が、カップ部２の適切な位置に固定されているから、左右の乳房の大きさの違いを補うことができる。
【００３４】
ここで、従来技術では、各カップ部２の内面にパッド６を着脱自在に装着するためのポケットが設けられており、パッド６は、ポケットを介して、カップ部２に着脱自在に設けられているので、着用者の動作により、パッド６がカップ部２に対して位置ずれする場合があるが、本考案では、パッド６がカップ部２の所定位置に着脱不能に固定されているから、特に着用者の動作に影響するカップ部２の脇縁部２ｃ近傍に位置ずれすることなくパッド６を装着させることができる。
【００３５】
また、パッド６の第２周縁６ｂ（周縁）が、脇縁部２ｃの上端（符号２Ａを付す位置）まで延在されている。これによれば、パッド６が、カップ部２の適切な位置に固定されているから、左右の乳房の大きさの違いを補うことができる。
【００３６】
なお、本考案は、前記実施形態に限定されるものではなく、本考案の目的が達成できる他の構成等を含み、以下に示すような変形例も本考案に含まれる。
【００３７】
前記実施形態では、パッド６は、所定の厚みを有する板状に形成されているが、本考案はこれに限定されるものではない。パッド６が、人体の乳房の形状に対応した略半球状となるように形成されてカップ部２の内部を埋める。即ち、パッド６が人体の乳房と略同様の膨らみを有して形成されていることで、例えば乳がん等により着用者の片胸が切除された場合であっても、手間をかけることなく左右の乳房の大きさの違いを補うことができ、かつ、着用時の乳房の外観を美しいものとすることができる。
【００３８】
また、前記実施形態では、カップ部付き衣類としてブラジャー１の一例を説明したが、本考案はこれに限定されるものではない。例えば、カップ部付き衣類は、ビスチェ、ボディスーツ、キャミソール、タンクトップ等、カップ部を有する衣類全般に適用することもできる。
【００３９】
その他、本考案を実施するための最良の構成、方法などは、以上の記載で開示されているが、本考案は、これに限定されるものではない。すなわち、本考案は、主に特定の実施形態に関して特に図示され、且つ、説明されているが、本考案の技術的思想および目的の範囲から逸脱することなく、以上述べた実施形態に対し、形状、材質、数量、その他の詳細な構成において、当業者が様々な変形を加えることができるものである。従って、上記に開示した形状、材質などを限定した記載は、本考案の理解を容易にするために例示的に記載したものであり、本考案を限定するものではないから、それらの形状、材質などの限定の一部、もしくは全部の限定を外した部材の名称での記載は、本考案に含まれるものである。
【符号の説明】
【００４０】
１      ブラジャー（カップ部付き衣類）
２      カップ部
２ａ    下縁部
２ｃ    脇縁部
２Ａ    脇縁部の上端
４      バック部
６      パッド
６ａ    第１周縁（パッドの周縁）
６ｂ    第２周縁（パッドの周縁）
【図１】
0003213340.tif 000003
【図２】
0003213340.tif 000004